(57)【要約】【課題】規格が統一されない大量のコンテンツ素材を有効活用できるようににしたことを特徴とするコンテンツ登録利用システムを提供する。【解決手段】コンテンツ登録利用サーバ１００は、コンテンツ登録部１１０、コンテンツ利用部１２０を備え、コンテンツ登録部１１０において登録者端末３００よりコンテンツ素材を登録する際に閲覧情報を抽出する機能があり、コンテンツ利用部１２０において利用者端末４００より抽出された閲覧情報を参照することでコンテンツ素材を用いた編集を行うことができるので、規格が統一されない大量のコンテンツ素材を有効活用できる。また、コンテンツ利用部１２０はコンテンツ素材の閲覧情報に接続するために２次元コード生成部を備えているので、２次元コードを読み取ることでコンテンツ素材の閲覧情報を参照ことができ、容易に必要とするコンテンツ素材を見つけ出すことができる。【選択図】図１
2006092310.tif 000002
【特許請求の範囲】
【請求項１】
コンテンツ素材を登録するコンテンツ登録手段と前記登録されたコンテンツ素材を利用するコンテンツ利用手段とを備えたコンテンツ登録利用システムであって、
前記コンテンツ登録手段は、
コンテンツ素材を登録するコンテンツ素材登録手段と、
前記登録されたコンテンツ素材の撮影日時、撮影場所、ナレータおよび音楽の情報を含むコンテンツ素材情報を登録するコンテンツ素材情報登録手段と、
前記登録されたコンテンツ素材のカット割り画像、全体見出し画像および見出しワードの情報を含む閲覧情報を抽出する閲覧情報抽出手段と、
前記抽出された閲覧情報を登録する閲覧情報登録手段とを備え、
前記コンテンツ利用手段は、
前記登録されたコンテンツ素材情報および前記抽出された閲覧情報を表示する閲覧情報表示手段と、
前記表示された前記コンテンツ素材情報および前記閲覧情報に基づいて編集情報を生成して記録する編集情報生成手段と、
前記記録された編集情報に基づいて前記記録されたコンテンツ素材を取得し、編集コンテンツを生成する編集コンテンツ生成手段とを備え、
多数のコンテンツ素材の登録を受付けて有効活用できるようにしたことを特徴とするコンテンツ登録利用システム。
【請求項２】
前記閲覧情報抽出手段は、
前記登録されたコンテンツ素材におけるカット割情報を検出するカット割り情報検出手段と、
前記検出されたカット割情報における所定の時間後の静止画像を抽出するカット割り画像抽出手段とを含み、
コンテンツ素材の内容をカット毎の静止画像の一覧により把握できるようにしたことを特徴とする請求項１に記載のコンテンツ登録利用システム。
【請求項３】
前記閲覧情報抽出手段は、
前記抽出されたカット割り画像から全体見出し画像を選択する全体見出し画像選択手段を含むことを特徴とする請求項２に記載のコンテンツ登録利用システム。
【請求項４】
前記閲覧情報抽出手段は、
前記登録されたコンテンツ素材に含まれる音声情報を認識する音声情報認識手段と、
前記認識された音声情報に基づいて前記登録されたコンテンツ素材における見出しワードを抽出する見出しワード抽出手段とを含むことを特徴とする請求項１ないし請求項３のいずれかに記載のコンテンツ登録利用システム。
【請求項５】
前記見出しワード抽出手段は、
前記抽出された見出しワードの出現回数をカウントする機能と、
前記抽出された見出しワードおよび前記カウントされた見出しワードの出現回数をリスト表示する機能とを有することを特徴とする請求項１ないし請求項４のいずれかに記載のコンテンツ登録利用システム。
【請求項６】
前記閲覧情報登録手段は、
前記閲覧情報抽出手段によって抽出された閲覧情報を修正する機能を有することを特徴とする請求項１ないし請求項５のいずれかに記載のコンテンツ登録利用システム。
【請求項７】
前記閲覧情報表示手段は、
地図情報データベースを備え、
前記コンテンツ素材情報に含まれる撮影場所情報を基に前記見出しワードおよび／または前記見出し画像を地図上に組み込んで一覧として表示する機能と、
前記組み込まれた地図から前記登録されたコンテンツ素材を検索できるとした機能とを有する、
請求項１ないし請求項６のいずれかに記載のコンテンツ登録利用システム。
【請求項８】
前記閲覧情報表示手段は、
前記コンテンツ素材情報に含まれる撮影日時を基に前記見出しワードおよび／または前記見出し画像をカレンダ上に組み込んで表示する機能と、
前記組み込まれたカレンダから前記登録されたコンテンツ素材を検索できるとした機能とを有する、
請求項１ないし請求項７のいずれかに記載のコンテンツ登録利用システム。
【請求項９】
前記コンテンツ利用手段は、
前記記録された編集情報に基づいて利用者により選択されたコンテンツ素材と組み合わされたコンテンツ素材を検索する機能と、
前記表示された組合せ回数が多いものの順にリスト表示する機能とを有することを特徴とする請求項１ないし請求項８のいずれかに記載のコンテンツ登録利用システム。
【請求項１０】
前記コンテンツ利用手段は、
利用者端末からの要求に応じて、前記生成されたコンテンツをストリーミング配信またはダウンロード配信する配信手段を有することを特徴とする、
請求項１ないし請求項９のいずれかに記載のコンテンツ登録利用システム。
【請求項１１】
前記配信手段は、
前記生成されたコンテンツを利用者端末に対してストリーミングまたはダウンロード配信する際に課金を行う視聴者課金手段を有することを特徴とする、
請求項１０に記載のコンテンツ登録利用システム。
【請求項１２】
前記コンテンツ利用手段は、
前記編集情報を生成する際に、使用されたコンテンツ素材毎に定められた料金に基づいて課金を行う利用者課金手段を有することを特徴とする、
請求項１ないし請求項１１のいずれかに記載のコンテンツ登録利用システム。
【請求項１３】
前記登録されたコンテンツ素材に対応する前記閲覧情報の接続先を含む情報として２次元コードを生成する２次元コード生成手段と、
前記登録されたコンテンツ素材に対応する前記見出し画像に前記生成された２次元コードを添えたコンテンツカタログを印刷する印刷手段とを有することを特徴とする請求項１ないし請求項１２のいずれかに記載のコンテンツ登録利用システム。
【請求項１４】
前記コンテンツ登録手段は、コンテンツ素材の取材依頼を受付ける機能を有するものであって、
取材を依頼するための依頼者端末から、取材場所、取材日時、取材内容、依頼者名および連絡先等の情報を含む取材依頼情報を受付ける取材依頼情報受付手段を備えることを特徴とする請求項１ないし請求項１３のいずれかに記載のコンテンツ登録利用システム。
【請求項１５】
前記コンテンツ登録手段は、コンテンツ素材の取材依頼を受付ける機能を有するものであって、
取材を依頼するための依頼者端末から、取材場所、取材日時、取材内容、依頼者名および連絡先等の情報を含む取材依頼情報を受付ける取材依頼情報受付手段と、
前記受付けられた取材依頼情報の取材を行う側の取材者端末等に知らせるための電子メール送信手段とを備えることを特徴とする請求項１ないし請求項１３のいずれかに記載のコンテンツ登録利用システム。
【請求項１６】
前記取材依頼情報受付手段は、
前記受付けられた取材依頼情報に基づいて取材クレジット情報を生成する取材クレジット情報生成手段を含むことを特徴とする請求項１４または請求項１５に記載のコンテンツ登録利用システム。
【請求項１７】
前記コンテンツ素材を登録する端末として携帯端末を使用し、
前記携帯端末が保持している位置情報および日時情報を取材場所情報および取材日時情報として取得する機能を備えることを特徴とする請求項１ないし請求項１６のいずれかに記載のコンテンツ登録利用システム。
【請求項１８】
コンテンツ素材に対応する閲覧情報の接続先を示す２次元コードが印刷されたコンテンツカタログを用いて、端末から編集を行う編集方法であって、
前記２次元コードを読取るステップと、
コンテンツカタログに印刷された２次元コードからコンテンツ素材の閲覧情報の接続先を抽出するステップと、
前記抽出された接続先の情報によりコンテンツ素材の閲覧情報に接続するステップと、
前記接続されたコンテンツ素材の閲覧情報を取得するステップと、
前記取得された閲覧情報を表示するステップと、
前記表示された閲覧情報に基づきコンテンツ素材を選択するステップと、
前記選択されたコンテンツ素材に基づき編集情報を生成して記録するステップと、
前記生成され、記録された編集情報に基づいて編集コンテンツを生成するステップと、
前記生成された編集コンテンツを記録するステップとを備える編集方法。
【発明の詳細な説明】
【技術分野】
【０００１】
この発明は、素材となるコンテンツを登録するとともに登録されたコンテンツ素材を利用するコンテンツ登録利用システムに関し、特に多数のコンテンツ素材の登録を受付けて有効活用できるようにしたことを特徴とするコンテンツ登録利用システムに関する。
【背景技術】
【０００２】
これまでは、情報メディアの発達に伴い日々大量のコンテンツが生成されるようになってきているが、個々のメディアが個別にコンテンツを作成し、一定の目的を達成したコンテンツは死蔵されるため、有効に活用されないことが多かった。
これに対して、近年、ネットワーク上でのコンテンツ素材の利用が急速に拡大しており、大容量アーカイブに蓄積されたコンテンツ素材の編集を、通信ネットワークを介して遠隔地の編集端末から行うようなコンテンツ登録利用システムが提案されている。
このような大容量に保存されたコンテンツ素材を用いて編集を行う際には、適切なコンテンツ素材を的確に検索し選択することで、コンテンツ素材の編集処理を行うような環境を整える必要がある。
【０００３】
図２３に、従来技術によるコンテンツ登録利用システムの一例の構成を概略的に示す（例えば、特許文献１参照）。図において、遠隔編集端末１、大容量映像アーカイブ２および映像編集装置３は、互いにネットワーク４で接続されている。遠隔編集端末１は、大容量映像アーカイブ２および映像編集装置３に対して地理的に離れた場所である遠隔地に設けられる。大容量映像アーカイブ２は、例えば多数のハードディスク装置から構成され、極めて多数のコンテンツ素材を格納可能とされている。大容量映像アーカイブ２に格納されたコンテンツ素材は、所定の方法で検索して取り出すことができる。
本システムにおいては、遠隔編集端末１から大容量映像アーカイブ２に蓄積されているコンテンツ素材を用いた編集処理を行うことを目的としている。
まず、利用者により遠隔編集端末１が操作され、遠隔編集端末１から大容量映像アーカイブ２に対して、通信ネットワーク４を介して必要なコンテンツ素材のテキストによる検索が要求される。大容量映像アーカイブ２では、この要求に基づきコンテンツ素材の検索を行い、検索結果をファイルでネットワーク４を介して遠隔編集端末１に送信する。遠隔編集端末１では、送信された検索結果のファイルに基づき目的とするコンテンツ素材が選択され、編集処理が行われる。編集結果は、編集結果データとして、ネットワーク４を介して映像編集装置３に送信される。
映像編集装置３では、受信された編集結果データに基づき、大容量映像アーカイブ２から遠隔編集端末１で編集に用いられたコンテンツ素材を取得して編集コンテンツを生成する。生成された編集コンテンツは、例えばビデオテープに記録される。
【０００４】
【特許文献１】特開２００３−２５６４３２号公報
【発明の開示】
【発明が解決しようとする課題】
【０００５】
上述したような従来のコンテンツ登録利用システムによりコンテンツ素材等を登録する際には、コンテンツ素材の規格があらかじめ統一されているとした場合に限定されてしまうという問題があった。
また、様々な撮影者により作製されたコンテンツ素材を有効利用するためには、数あるコンテンツ素材の中から、適切なコンテンツ素材を検出できるようにされていなければならないという問題があった。
【０００６】
本発明は、上述した種々の問題に鑑みてなされたもので、その目的は、規格が統一されない大量のコンテンツ素材を有効に活用できるようにしたことを特徴とするコンテンツ登録利用システムを提供することである。
【課題を解決するための手段】
【０００７】
上記課題を解決するために、請求項１に記載の発明は、コンテンツ素材を登録するコンテンツ登録手段と登録されたコンテンツ素材を利用するコンテンツ利用手段とを備えたコンテンツ登録利用システムであって、コンテンツ登録手段は、コンテンツ素材を登録するコンテンツ素材登録手段と、登録されたコンテンツ素材の撮影日時、撮影場所、ナレータおよび音楽の情報を含むコンテンツ素材情報を登録するコンテンツ素材情報登録手段と、登録されたコンテンツ素材のカット割り画像、全体見出し画像および見出しワードの情報を含む閲覧情報を抽出する閲覧情報抽出手段と、抽出された閲覧情報を登録する閲覧情報登録手段とを備え、コンテンツ利用手段は、登録されたコンテンツ素材情報および抽出された閲覧情報を表示する閲覧情報表示手段と、表示されたコンテンツ素材情報および閲覧情報に基づいて編集情報を生成して記録する編集情報生成手段と、記録された編集情報に基づいて記録されたコンテンツ素材を取得し、編集コンテンツを生成する編集コンテンツ生成手段とを備え、多数のコンテンツ素材の登録を受付けて有効活用できるようにしたことを特徴とするコンテンツ登録利用システムである。
【０００８】
請求項２に記載の発明は、閲覧情報抽出手段は、登録されたコンテンツ素材におけるカット割情報を検出するカット割り情報検出手段と、検出されたカット割情報における所定の時間後の静止画像を抽出するカット割り画像抽出手段とを含み、コンテンツ素材の内容をカット毎の静止画像の一覧により把握できるようにしたことを特徴とする請求項１に記載のコンテンツ登録利用システムである。これにより、登録されるコンテンツ素材の内容をカット割り画像によって把握することができる。
【０００９】
請求項３に記載の発明は、閲覧情報抽出手段は、抽出されたカット割り画像から全体見出し画像を選択する全体見出し画像選択手段を含むことを特徴とする請求項２に記載のコンテンツ登録利用システムである。これにより、登録者が全体見出し画像を準備していなくてもカット割り画像を用いることで、容易に全体見出し画像を準備することができる。
【００１０】
請求項４に記載の発明は、閲覧情報抽出手段は、登録されたコンテンツ素材に含まれる音声情報を認識する音声情報認識手段と、認識された音声情報に基づいて登録されたコンテンツ素材における見出しワードを抽出する見出しワード抽出手段とを含むことを特徴とする請求項１ないし請求項３のいずれかに記載のコンテンツ登録利用システムである。
【００１１】
請求項５に記載の発明は、見出しワード抽出手段は、抽出された見出しワードの出現回数をカウントする機能と、抽出された見出しワードおよびカウントされた見出しワードの出現回数をリスト表示する機能とを有することを特徴とする請求項１ないし請求項４のいずれかに記載のコンテンツ登録利用システムである。これにより、登録するコンテンツ素材に関連する見出しワードからもコンテンツ素材の内容を把握することができる。
【００１２】
請求項６に記載の発明は、閲覧情報登録手段は、閲覧情報抽出手段によって抽出された閲覧情報を修正する機能を有することを特徴とする請求項１ないし請求項５のいずれかに記載のコンテンツ登録利用システムである。これにより、一度抽出された閲覧情報の内容について修正を加えることができる。
【００１３】
請求項７に記載の発明は、閲覧情報表示手段は、地図情報データベースを備え、コンテンツ素材情報に含まれる撮影場所情報を基に見出しワードおよび／または見出し画像を地図上に組み込んで一覧として表示する機能と、組み込まれた地図から登録されたコンテンツ素材を検索する機能とを有する、請求項１ないし請求項６のいずれかに記載のコンテンツ登録利用システムである。これにより、地図情報を基にして視覚的にコンテンツ素材の検索を行うことができる。
【００１４】
請求項８に記載の発明は、閲覧情報表示手段は、コンテンツ素材情報に含まれる撮影日時を基に見出しワードおよび／または見出し画像をカレンダ上に組み込んで表示する機能と、組み込まれたカレンダから登録されたコンテンツ素材を検索する機能とを有する、請求項１ないし請求項７のいずれかに記載のコンテンツ登録利用システムである。これにより、カレンダを基に撮影日時を考慮したコンテンツ素材の検索を行うことができる。
【００１５】
請求項９に記載の発明は、コンテンツ利用手段は、記録された編集情報に基づいて利用者により選択されたコンテンツ素材と組み合わされたコンテンツ素材を検索する機能と、表示された組合せ回数が多いものの順にリスト表示する機能とを有することを特徴とする請求項１ないし請求項８のいずれかに記載のコンテンツ登録利用システムである。これにより、利用者が選択したコンテンツ素材と組合せの多いコンテンツ素材を抽出してリスト表示させるので、コンテンツ素材の検索の実行する時間を短縮させることができる。
【００１６】
請求項１０に記載の発明は、コンテンツ利用手段は、利用者端末からの要求に応じて、生成されたコンテンツをストリーミング配信またはダウンロード配信する配信手段を有することを特徴とする、請求項１ないし請求項９のいずれかに記載のコンテンツ登録利用システムである。これにより、本発明にかかるコンテンツ登録利用システムによって生成されたコンテンツを視聴者に配信することができる。
【００１７】
請求項１１に記載の発明は、配信手段は、生成されたコンテンツを利用者端末に対してストリーミングまたはダウンロード配信する際に課金を行う視聴者課金手段を有することを特徴とする、請求項１０に記載のコンテンツ登録利用システムである。これにより、生成されたコンテンツを配信することで視聴者に対して課金を行うことができる。
【００１８】
請求項１２に記載の発明は、コンテンツ利用手段は、編集情報を生成する際に、使用されたコンテンツ素材毎に定められた料金に基づいて課金を行う利用者課金手段を有することを特徴とする、請求項１ないし請求項１１のいずれかに記載のコンテンツ登録利用システムである。これにより、本発明にかかるコンテンツ登録利用システムを利用して編集処理を行う利用者に対して課金を行うことができる。
【００１９】
請求項１３に記載の発明は、登録されたコンテンツ素材に対応する閲覧情報の接続先を含む情報として２次元コードを生成する２次元コード生成手段と、登録されたコンテンツ素材に対応する見出し画像に生成された２次元コードを添えたコンテンツカタログを印刷する印刷手段とを有することを特徴とする請求項１ないし請求項１２のいずれかに記載のコンテンツ登録利用システムである。これにより、利用者は、印刷されたコンテンツカタログから必要とするコンテンツを、携帯端末等から、そのコンテンツカタログに記載されているコンテンツ素材に対応する２次元コードを読込むことで、該コンテンツ素材の閲覧情報を参照することができる。
【００２０】
請求項１４に記載の発明は、コンテンツ登録手段は、コンテンツ素材の取材依頼を受付ける機能を有するものであって、取材を依頼するための依頼者端末から、取材場所、取材日時、取材内容、依頼者名および連絡先等の情報を含む取材依頼情報を受付ける取材依頼情報受付手段を備えることを特徴とする請求項１ないし請求項１３のいずれかに記載のコンテンツ登録利用システムである。これにより、取材者は、取材依頼情報を適宜閲覧することで、新たな取材依頼情報を取得することができる。
【００２１】
請求項１５に記載の発明は、コンテンツ登録手段は、コンテンツ素材の取材依頼を受付ける機能を有するものであって、取材を依頼するための依頼者端末から、取材場所、取材日時、取材内容、依頼者名および連絡先等の情報を含む取材依頼情報を受付ける取材依頼情報受付手段と、受付けられた取材依頼情報を取材者端末等に知らせるための電子メール送信手段とを備えることを特徴とする請求項１ないし請求項１３のいずれかに記載のコンテンツ登録利用システムである。これにより、取材者は、取材依頼情報を電子メールにより取得することができる。
【００２２】
請求項１６に記載の発明は、取材依頼情報受付手段は、受付けられた取材依頼情報に基づいて取材クレジット情報を生成する取材クレジット情報生成手段を含むことを特徴とする請求項１４または請求項１５に記載のコンテンツ登録利用システムである。これにより、コンテンツ素材の登録者は、コンテンツ素材を作成する際に、取材依頼情報を取材クレジット情報として利用することができ、さらに、取材クレジット情報をコンテンツ素材情報として利用することもできる。
【００２３】
請求項１７に記載の発明は、コンテンツ素材を登録する端末として携帯端末を使用し、携帯端末が保持している位置情報および日時情報を取材場所情報および取材日時情報として取得する機能を備えることを特徴とする請求項１ないし請求項１６のいずれかに記載のコンテンツ登録利用システムである。これにより、コンテンツ素材を登録する端末として携帯端末を使用することで、場所を限定することなくコンテンツ登録利用システムにコンテンツ素材を登録することができ、さらに、登録するコンテンツ素材におけるコンテンツ素材情報は、該携帯端末が保持している位置情報および日時情報を取材場所および取材日時情報として取得する機能を備えることで、容易に精度良いコンテンツ素材情報を取得することができる。
【００２４】
請求項１８に記載の発明は、コンテンツ素材に対応する閲覧情報の接続先を示す２次元コードが印刷されたコンテンツカタログを用いて、端末から編集を行う編集方法であって、２次元コードを読取るステップと、コンテンツカタログに印刷された２次元コードからコンテンツ素材の閲覧情報の接続先を抽出するステップと、抽出された接続先の情報によりコンテンツ素材の閲覧情報に接続するステップと、接続されたコンテンツ素材の閲覧情報を取得するステップと、取得された閲覧情報を表示するステップと、表示された閲覧情報に基づきコンテンツ素材を選択するステップと、選択されたコンテンツ素材に基づき編集情報を生成して記録するステップと、生成され、記録された編集情報に基づいて編集コンテンツを生成するステップと、生成された編集コンテンツを記録するステップとを備える編集方法である。
この編集方法によれば、例えば、携帯端末等からでも閲覧情報を参照することでコンテンツを選択することができ、編集処理を行うことができる。また、端末においても、コンテンツカタログを見ながら２次元コードを読み取ることで、コンテンツ素材を選択することができ、編集処理を行うことができる。また、携帯端末等で閲覧情報を参照しながらコンテンツ素材を選択し、記録しておいて、後に端末で該選択しておいたコンテンツ素材を用いて編集処理を行うこともできる。
【発明の効果】
【００２５】
本発明にかかるコンテンツ登録利用システムを利用することで規格が統一されない大量のコンテンツ素材を有効に活用することができる。
【００２６】
この発明の上述の目的、その他の目的、特徴および利点は、図面を参照して行う以下の発明を実施するための最良の形態の説明から一層明らかとなろう。
【発明を実施するための最良の形態】
【００２７】
以下、図面を用いてこの発明の一実施形態について説明する。図１は、この発明の一実施形態にかかるコンテンツ登録利用システムのシステム構成図である。
この発明のコンテンツ登録利用システムは、コンテンツ登録利用サーバ１００、登録者端末３００、利用者端末４００、携帯端末５００、視聴者端末６００、依頼者端末７００、取材者端末８００で構成され、これらがネットワーク２００で接続される。以下、各部を詳細に説明する。
【００２８】
コンテンツ登録利用サーバ１００は、コンテンツ登録部１１０とコンテンツ利用部１２０とから構成されている。また、管理部１３０、課金部１４０、通信部１５０、取材依頼管理部１６０およびデータベース部１７０を備えている。
コンテンツ登録部１１０は、コンテンツ素材登録部１１１、コンテンツ素材情報入力部１１２、閲覧情報抽出部１１３、閲覧情報登録部１１４を有している。コンテンツ登録部１１０は、主に、登録者端末３００からのコンテンツ素材の登録を受付ける機能を有する。
コンテンツ素材登録部１１１は、登録者端末３００から送信されたコンテンツ素材を受付け、そのコンテンツ素材をデータベース部１７０のコンテンツ素材ＤＢ１７０ａへ渡す機能を有する。
コンテンツ素材情報入力部１１２は、登録者端末３００において入力され、送信されたコンテンツ素材情報を受付け、そのコンテンツ素材情報をデータベース部１７０のコンテンツ素材情報ＤＢ１７０ｂへ渡す機能を有する。
閲覧情報抽出部１１３は、図２に示すように、カット割り情報を検出するカット割り情報検出部１１３ａと、その情報に基づいてカット割り画像を抽出するカット割り画像抽出部１１３ｂと、コンテンツ素材に含まれる音声情報を認識する音声情報認識部１１３ｃと、その認識された音声情報を見出しワードとして抽出する見出しワード抽出部１１３ｄとを含んでいる。それぞれ抽出されたカット割画像、全体見出し画像および見出しワードは、閲覧情報登録部１１４に渡される。
閲覧情報登録部１１４は、閲覧情報抽出部１１３において抽出された閲覧情報をデータベース部１７０の閲覧情報ＤＢ１７０ｃに渡す機能を有する。
【００２９】
コンテンツ利用部１２０は、閲覧情報表示部１２１、編集情報生成部１２２、編集コンテンツ生成部１２３、コンテンツ情報表示部１２４を有する。
閲覧情報表示部１２１は、登録者端末３００や利用者端末４００において閲覧情報を表示するために、データベース部１７０の閲覧情報ＤＢ１７０ｃに記録されている閲覧情報を読み出す機能を有する。
編集情報生成部１２２は、利用者端末４００における編集素材ボックス画面上で編集された結果生成された編集情報を記録する機能を有する。
編集コンテンツ生成部１２３は、編集情報生成部１２２で生成された編集情報に基づいてデータベース部１７０のコンテンツ素材ＤＢ１７０ａから読み出し、編集コンテンツを生成する機能を有する。
コンテンツ情報表示部１２４は、利用者端末４００において、コンテンツ情報を表示するために、データベース部１７０のコンテンツ情報ＤＢ１７０ｈからコンテンツ情報を読み出す機能を有する。
【００３０】
管理部１３０は、登録者情報管理部１３１と利用者情報管理部１３２とから構成されている。
登録者情報管理部１３１は、登録者端末３００から登録された登録者情報を受付け、その情報を登録者ＤＢ１７０ｄに渡す機能を有する。
利用者情報管理部１３２は、利用者端末４００から登録された利用者情報を受付け、その情報を利用者ＤＢ１７０ｅに渡す機能を有する。
【００３１】
課金部１４０は、利用者課金部１４１と視聴者課金部１４２とから構成されている。
利用者課金部１４１は、データベース部１７０の編集情報ＤＢ１７０ｆに登録された編集情報を読み出し、続いて、その編集情報に基づいて編集に使用されたコンテンツ素材に定められた各々の料金をコンテンツ素材情報ＤＢ１７０ｂから読み出すことで、編集を実行した際に発生した課金料金を算出する機能を有する。
視聴者課金部１４２は、生成されたコンテンツをストリーミング配信またはダウンロード配信することにより、利用者端末４００で視聴する際に行われる課金処理を実行する機能を有する。
【００３２】
通信部１５０は、Ｗｅｂサーバ１５１、配信サーバ１５２および電子メールサーバ１５３を備えている。
Ｗｅｂサーバ１５１は、登録者端末３００および利用者端末４００を介して要求される情報を受信する機能を有する。例えば、コンテンツ素材の登録者の登録要求、コンテンツ利用者の登録要求、登録者および利用者によるコンテンツ登録利用サーバ１００へのログイン要求、コンテンツ素材の登録要求等である。そして、前述のような様々な要求の情報を、登録者端末３００、利用者端末４００および各部へ送信する機能を有する。また、各部で処理された情報を登録者端末３００および利用者端末４００で閲覧できるように処理し、登録者端末３００または利用者端末４００へ送信する機能を有する。
配信サーバ１５２は、データベース部１７０におけるコンテンツＤＢ１７０ｇから読み出されたコンテンツを受け取り、利用者端末４００に対してダウンロードおよびストリーミング配信する機能を有する。
電子メールサーバ１５３は、例えば、取材依頼情報受付部１６１において受付けられた取材依頼情報を取材者端末８００に電子メールで知らせる機能を有している。さらに、電子メールサーバ１５３は、依頼者端末７００から依頼された取材依頼情報に基づいて作成されたコンテンツ素材がコンテンツ素材登録部１１１に登録されると、該取材依頼情報を提供した依頼者端末７００に対して電子メールで知らせる機能を有する。
【００３３】
取材依頼管理部１６０は、取材依頼情報受付部１６１と取材クレジット情報生成部１６２とから構成されている。
取材依頼情報受付部１６１は、依頼者端末７００により送信され、Ｗｅｂサーバ１５１により受信された取材依頼情報を取材依頼情報ＤＢ１７０ｋに渡す機能を有するものである。また、取材クレジットコードは、取材依頼情報受付部１６１において、依頼者端末７００より取材依頼情報を受付けた際に、自動的に付与される。
取材クレジット情報生成部１６２は、例えば、取材依頼情報ＤＢ１７０ｋより取材依頼情報が取得されることで取材クレジット情報を生成する機能を有するものである。取材クレジット情報は、例えば、取材クレジットコード、ＧＰＳ位置情報、取材日時、取材者名、テーマまたはタイトル、取材依頼情報等を含んだものである。また、ＧＰＳ位置情報、取材日時および取材者名等は、例えば、携帯端末５００があらかじめ保持しているデータが利用されるようにされてもよい。
【００３４】
データベース部１７０は、コンテンツ素材ＤＢ１７０ａ、コンテンツ素材情報ＤＢ１７０ｂ、閲覧情報ＤＢ１７０ｃ、登録者ＤＢ１７０ｄ、利用者ＤＢ１７０ｅ、編集情報ＤＢ１７０ｆ、コンテンツＤＢ１７０ｇ、コンテンツ情報ＤＢ１７０ｈ、地理情報ＤＢ１７０ｉ、関連画像ＤＢ１７０ｊ、取材依頼情報ＤＢ１７０ｋから構成されている。
コンテンツ素材ＤＢ１７０ａは、コンテンツ素材登録部１１１より渡されたコンテンツ素材を記録する機能を有する。
コンテンツ素材情報ＤＢ１７０ｂは、コンテンツ素材情報入力部１１２より渡されたコンテンツ素材情報を記録する機能を有する。コンテンツ素材情報は、図３に示すようなデータベース構造となっている。
閲覧情報ＤＢ１７０ｃは、閲覧情報抽出部１１３で抽出された閲覧情報が閲覧情報登録部１１４に閲覧情報は、図４に示すようなデータベース構造となっている。
登録者ＤＢ１７０ｄには、登録者が登録者受付画面に従って入力した登録者情報が、Ｗｅｂサーバ１５１から登録者情報管理部１３１に渡され、登録者情報管理部１３１から取得されて記録される。
利用者ＤＢ１７０ｅには、利用者が利用者受付画面に従って入力した利用者情報が、Ｗｅｂサーバ１５１から利用者情報管理部１３２に渡され、利用者情報管理部１３２から取得されて記録される。
編集情報ＤＢ１７０ｆは、編集情報生成部１２２において生成された編集情報を記録する機能を有する。
コンテンツＤＢ１７０ｇは、編集コンテンツ生成部１２３において生成されたコンテンツを記録する機能を有する。
コンテンツ情報ＤＢ１７０ｈは、生成されたコンテンツに関して、そのコンテンツの登録したいカテゴリ、全体見出し画像、コンテンツの内容および、希望料金等の入力されたコンテンツ情報を記録するためのデータベースである。
地理情報ＤＢ１７０ｉは、撮影場所情報に基づいて一覧表示する際の地図情報を格納しているデータベースである。
関連画像ＤＢ１７０ｊは、コンテンツ素材が音声情報のみのとき、そのコンテンツ素材の全体見出し画像をこのデータベースから抽出するとしたものである。
取材依頼情報ＤＢ１７０ｋは、依頼者端末７００により入力され、取材依頼情報受付部１６１において受付けられた取材依頼情報を記録する機能を有するものである。取材依頼情報は、例えば、取材場所、取材日時、取材ポイント、取材内容、依頼者名、連絡先等を含んだものである。
【００３５】
登録者端末３００は、例えばパーソナルコンピュータを用いて構成される。このパーソナルコンピュータには、ブラウザがあらかじめインストールされている。図１には、１つの登録者端末しか示していないが、実際には多数の登録者端末３００がネットワーク２００を介して接続される。また、登録者端末３００は、登録されているコンテンツ素材をコンテンツカタログとして印刷できるようにするために印刷部３０１を備えており、２次元コードが付加されたコンテンツカタログを印刷することで、コンテンツ素材の閲覧情報を登録者端末３００以外でも利用することができ、また、そのコンテンツカタログを利用して、コンテンツ素材の登録者は、該コンテンツ素材の配布に利用することができる。
【００３６】
利用者端末４００は、例えばパーソナルコンピュータを用いて構成される。このパーソナルコンピュータには、ブラウザと、コンテンツ素材をストリーミングおよびダウンロード再生するための再生ソフトとがあらかじめインストールされている。また、利用者端末４００は、登録されているコンテンツ素材をコンテンツカタログとして印刷できるようにするための印刷部４０１を備えている。印刷部４０１により２次元コードが付加されたコンテンツカタログを印刷することで、コンテンツ素材の閲覧情報を入手することができ、容易にコンテンツ素材を見つけ出すことができる。図１には、１つの利用者端末しか示していないが、実際には多数の利用者端末４００がネットワーク２００を介して接続される。
【００３７】
携帯端末５００は、例えば、携帯電話により構成され、２次元コードの読取装置もあらかじめ備えられている。よって、印刷されたコンテンツカタログに記載されたコンテンツ素材に対応する２次元コードを読み取ることで、例えば、携帯電話上でも該コンテンツ素材の閲覧情報を参照することができる。加えて、例えば、携帯電話に、編集処理を行えるようなソフトウェアをあらかじめインストールしておくことで、該閲覧情報を参照しながら編集処理も行える。さらに、携帯端末５００において取得されたコンテンツ素材をコンテンツ登録利用サーバ１００に直接登録することもできる。また、所定のアプリケーションをインストールすることで、コンテンツ素材情報となる取材日時や取材場所等の情報を携帯端末５００によって保持されている情報から取得することもできる。
【００３８】
視聴者端末６００は、例えばパーソナルコンピュータを用いて構成される。このパーソナルコンピュータには、コンテンツ登録利用サーバ１００に対する入力処理を行うためのブラウザと、編集コンテンツをストリーミングおよびダウンロード再生するための再生ソフトがあらかじめインストールされている。図１には、１つの視聴者端末しか示していないが、実際には多数の視聴者端末６００がネットワーク２００を介して接続される。
【００３９】
依頼者端末７００は、例えば、パーソナルコンピュータを用いて構成される。このパーソナルコンピュータには、ブラウザおよび電子メールのソフトウェアがあらかじめインストールされている。図１には、１つの依頼者端末しか示していないが、実際には多数の依頼者端末７００がネットワーク２００を介して接続される。依頼者端末７００は、取材を依頼するために、取材依頼情報をブラウザもしくは電子メール等に取材依頼情報を入力し、コンテンツ登録利用サーバ１００に対して入力された取材依頼情報を送信するための機能を有するものである。
【００４０】
取材者端末８００は、例えば、パーソナルコンピュータを用いて構成される。このパーソナルコンピュータには、ブラウザおよび電子メールのソフトウェアがあらかじめインストールされている。図１には、１つの取材者端末しか示していないが、実際には多数の取材者端末８００がネットワーク２００を介して接続される。取材者端末８００は、コンテンツ登録利用サーバ１００における取材依頼情報受付部１６１において受付けた取材依頼情報の内容を、電子メールサーバ１５３より電子メールによって受信する機能を有するものである。また、取材者は、取材者端末８００からコンテンツ登録利用サーバ１００の取材依頼情報ＤＢ１７０ｋを適宜閲覧することで、取材依頼情報を知ることができる。
【００４１】
次に、本発明にかかるコンテンツ登録利用システムにおけるコンテンツ素材の登録、利用の処理手順について説明する。
【００４２】
図５は、コンテンツ登録利用サーバ１００においてコンテンツ素材を登録する際の初期動作を示す処理手順を示している。
まず、コンテンツ素材を登録する登録者は、登録者端末３００からネットワーク２００を介してコンテンツ登録利用サーバ１００にアクセス要求を送信する。コンテンツ登録利用サーバ１００の通信部１５０におけるＷｅｂサーバ１５１は、登録者端末３００からのアクセスの要求を受信すると、登録者端末３００に対して、図６に示すような登録者受付画面を送信する（Ｓ１０）。ここで登録者が、ログイン情報を取得していない場合、会員登録の処理が行われる。
続いて、登録者が、このコンテンツ登録利用サーバ１００を利用する際の会員登録の流れについて説明する。
登録者は、登録者端末３００からネットワーク２００を介してコンテンツ登録利用サーバ１００にアクセスして、新規登録の要求を送信する（Ｓ１２）。コンテンツ登録利用サーバ１００の通信部１５０におけるＷｅｂサーバ１５１は、登録者端末３００からの新規登録要求を受信すると、当該登録者端末３００に登録者登録画面を送信する（Ｓ１３）。登録者は、登録者登録画面に従い、ＩＤとパスワードおよび、登録者の氏名、年齢、住所等の登録者の情報を入力する。これらの登録者情報は、登録者登録画面によって決められた形式で入力される。コンテンツ登録利用サーバ１００の通信部１５０におけるＷｅｂサーバ１５１は、登録者により入力された登録者情報を受信し、その情報を管理部１３０における登録者情報管理部１３１に渡す。登録者情報管理部１３１は、入力されたＩＤとパスワードとを通信部１５０のＷｅｂサーバ１５１を介して登録者端末３００に送信することで正式に発行し（Ｓ１４）、同時に登録者情報管理部１３１は、渡された登録者情報を登録者ＤＢ１７０ｄに登録する（Ｓ１５）。
【００４３】
次に、コンテンツ素材を登録する登録者が、このコンテンツ登録利用サーバ１００にログインする際の処理手順について説明する。
登録者は、登録者端末３００からネットワーク２００を介してコンテンツ登録利用サーバ１００にアクセス要求を送信する。コンテンツ登録利用サーバ１００の通信部１５０におけるＷｅｂサーバ１５１は、登録者端末３００からのアクセスの要求を受信すると、登録者端末３００に対して登録者受付画面を送信する。すると、登録者端末３００には、登録受付画面が表示される（Ｓ１０）。登録者は、該登録者受付画面に従い、あらかじめ会員登録時に取得した登録者のＩＤとパスワード（ログイン情報）を入力する。コンテンツ登録利用サーバ１００の通信部１５０におけるＷｅｂサーバ１５１は、入力されたログイン情報を受信し、その情報を管理部１３０の登録者情報管理部１３１へ渡す。登録者情報管理部１３１は、渡されたログイン情報をデータベース部１７０の登録者ＤＢ１７０ｄに登録されている登録者情報と照合し、該ログイン情報が登録されているか否かを確認する。照合した結果、正規登録者であると確認されたとき、Ｗｅｂサーバ１５１は、登録者端末３００にログイン許可の画面とコンテンツ素材登録受付画面を送信する。登録者端末３００は、Ｗｅｂサーバ１５１より送信されたログイン許可の画面を表示するとともに、図７に示すようなコンテンツ素材登録受付画面を表示する（Ｓ１６）。
また、該ログイン情報の入力をミスした場合には、通信部１５０におけるＷｅｂサーバ１５１は、再入力の画面を登録者端末３００に送信し、登録者端末３００は、送信された再入力の画面を表示する（Ｓ１７）。登録者は、再入力の画面より所定の入力を行うこととなる。
【００４４】
続いて、新規にコンテンツ素材を登録する場合の処理手順について説明する。図８に、コンテンツ素材を登録する場合の処理手順の説明図を示す。
コンテンツ素材を登録する登録者が、コンテンツ素材を新規登録する場合は、登録者端末３００に表示されているコンテンツ素材登録受付画面からネットワーク２００を介してコンテンツ登録利用サーバ１００にアクセスして、コンテンツ素材新規登録の要求を送信する。コンテンツ登録利用サーバ１００における通信部１５０のＷｅｂサーバ１５１は、コンテンツ素材新規登録の要求を受信すると、通信部１５０のＷｅｂサーバ１５１は、登録者端末３００にコンテンツ素材登録画面を送信する。すると、登録者端末３００には、図９に示すようなコンテンツ素材登録画面が表示される（Ｓ２０）。そして、コンテンツ素材登録画面にコンテンツ素材におけるカテゴリ、撮影日時、撮影場所、ナレータ、音楽（ＢＧＭ）および、希望料金等のコンテンツ素材情報を入力し、登録するコンテンツ素材の添付の処理を行う。また、全体見出し画像が、登録者によりあらかじめ準備されている場合は、コンテンツ素材の全体見出し画像を添付することができる。これらのコンテンツ素材情報は、登録者登録画面によって決められた形式で入力される。また、ここで登録されるコンテンツ素材は、もちろん映像コンテンツに限られるものではなく、音楽（ＢＧＭ）のみのものや、ナレータの音声情報のみのものでもかまわない。また、これら音声情報のみのコンテンツにおける全体見出し画像は、例えば、音楽（ＢＧＭ）に関連する画像や、ナレータ本人の画像を添付されるようにしてもよい。
そして、コンテンツ登録利用サーバ１００にアクセスして、コンテンツ素材およびコンテンツ素材登録画面より入力されたコンテンツ素材情報が送信される。コンテンツ登録利用サーバ１００の通信部１５０におけるＷｅｂサーバ１５１は、登録者によって入力されたコンテンツ素材情報とともに添付されたコンテンツ素材を受信する。続いて、Ｗｅｂサーバ１５１は、コンテンツ素材をコンテンツ登録部１１０のコンテンツ素材登録部１１１に渡し、コンテンツ素材情報をコンテンツ登録部１１０のコンテンツ素材情報入力部１１２に渡す。そして、コンテンツ素材登録部１１１は、渡されたコンテンツ素材をデータベース部１７０のコンテンツ素材ＤＢ１７０ａに登録し（Ｓ２１）、コンテンツ素材情報入力部１１２は、渡されたコンテンツ素材情報をデータベース部１７０のコンテンツ素材情報ＤＢ１７０ｂに登録する（Ｓ２２）。コンテンツ素材を登録する際に、コンテンツ素材登録部１１１は、そのコンテンツ素材に対応する登録番号を発行する（Ｓ２３）。
【００４５】
コンテンツ素材が登録されると、続いてコンテンツ素材に含まれる閲覧情報の抽出の処理が行われる（Ｓ２４）。閲覧情報の抽出は、閲覧情報抽出部１１３において、カット割り情報および、見出しワード等の抽出が行われる。以下、閲覧情報抽出部１１３で実行される処理について詳細に説明する。
【００４６】
まず、カット割り情報を抽出するために、閲覧情報抽出部１１３のカット割り情報検出部１１３ａは、データベース部１７０のコンテンツ素材ＤＢ１７０ａに登録されたコンテンツ素材を読み出す。そして、カット割り情報検出部１１３ａは、読み出されたコンテンツ素材におけるカット割情報について時間コードに基づいた検出を行う。そして、検出されたカット割情報は、カット割り画像抽出部１１３ｂに渡され、カット割り画像抽出部１１３ｂは、検出されたカット割情報に基づいて静止画像としてカット割画像の抽出を行う。抽出されたカット割り画像は、データベース部１７０の閲覧情報ＤＢ１７０ｃに渡され、記録される。
【００４７】
続いて、見出しワードを抽出するために、閲覧情報抽出部１１３の音声情報認識部１１３ｃは、データベース部１７０のコンテンツ素材ＤＢ１７０ａに登録されたコンテンツ素材を読み出す。そして、音声情報認識部１１３ｃは、読み出されたコンテンツ素材における音声情報について見出しキーワードの認識を行う。認識された音声情報は、見出しワード抽出部１１３ｄに渡され、見出しワード抽出部１１３ｄは、認識された音声情報に基づいてテキストで見出しワードの抽出を行う。抽出された見出しワードは、データベース部１７０の閲覧情報ＤＢ１７０ｃに渡され、記録される。
【００４８】
また、音楽（ＢＧＭ）やナレータ等、音声のみのコンテンツの場合にも、閲覧情報抽出部１１３の音声情報認識部１１３ｃは、データベース部１７０のコンテンツ素材ＤＢ１７０ａに登録されたコンテンツ素材を読み出し、続いて、音声情報認識部１１３ｃは、読み出されたコンテンツ素材における音声情報について見出しキーワードの認識を行う。読み出された音声情報は、見出しワード抽出部１１３ｄに渡され、見出しワード抽出部は、認識された音声情報に基づいてテキストで見出しワードの抽出を行う。
コンテンツ素材を登録した際に、全体見出し画像が登録されなかった場合には、この見出しワードを参考に関連画像ＤＢ１７０ｊに登録されている画像の中から関連する画像を抽出してきて、音楽（ＢＧＭ）等の全体見出し画像として登録される。
以上の処理により抽出され、記録された閲覧情報は、コンテンツ素材の登録番号とともに閲覧情報ＤＢ１７０ｃに記録される。
【００４９】
続いて、コンテンツ利用部１２０における閲覧情報表示部１２１において、該登録されたコンテンツ素材における閲覧情報が読み出される。そして、通信部１５０のＷｅｂサーバ１５１は、読み出された閲覧情報である閲覧情報表示画面を登録者端末３００に送信する。すると、登録者端末３００には、図１０に示すような登録されたコンテンツ素材の閲覧情報が表示される（Ｓ２５）。
登録者は、閲覧情報表示画面に表示された閲覧情報を見ながら、適当な閲覧情報が抽出されているかどうかの判断、選択を行うことができる（Ｓ２６）。
ここで、コンテンツ素材情報を登録する際に、全体見出し画像を登録しなかった場合、カット割り画像抽出部１１３ｂにおいて抽出されたカット割画像を参照しながら、登録者が全体見出し画像を選択することができる。
【００５０】
登録者によって選択されることで修正された閲覧情報は、登録者端末３００はコンテンツ登録利用サーバ１００の通信部１５０におけるＷｅｂサーバ１５１へ送信される。Ｗｅｂサーバ１５１において受信された閲覧情報は、コンテンツ登録部１１０の閲覧情報抽出部１１３へ渡す。閲覧情報抽出部１１３は、渡された閲覧情報をデータベース部１７０の閲覧情報ＤＢ１７０ｃに登録する（Ｓ２７）。
また、表示された閲覧情報で、特に修正する必要がない場合は、そのまま閲覧情報ＤＢ１７０ｃに記録される（Ｓ２７）。
ここで、もう一度閲覧情報の抽出を行いたい場合、閲覧情報の抽出条件等を新たに入力し、再度閲覧情報の抽出を行うことができるようにされていてもよい。
【００５１】
次に、すでに登録されているコンテンツ素材の閲覧情報を修正する場合の処理手順について説明する。このコンテンツ登録利用システムでは、あらかじめ登録されているコンテンツ素材の閲覧情報の修正処理を行うことができる。図１１に、コンテンツ素材の閲覧情報を修正する場合の処理手順の説明図を示す。
まず、登録者端末３００においてコンテンツ素材を登録したときに発行された登録番号の入力が行われ（Ｓ３０）、登録者端末３００からネットワーク２００を介して、コンテンツ登録利用サーバ１００の通信部１５０におけるＷｅｂサーバ１５１に登録番号が送信される。Ｗｅｂサーバ１５１で受信された登録番号は、コンテンツ登録部１１０の閲覧情報表示部１２１に渡され、ここで閲覧情報ＤＢ１７０ｃに記録されている登録番号と照合が行われる。該登録番号に対応した閲覧情報が見つかると、その閲覧情報が通信部１５０のＷｅｂサーバ１５１に渡され、ネットワーク２００を介して登録者端末３００に送信される。送信された閲覧情報は、登録者端末３００を介して閲覧情報表示画面に表示される（Ｓ３１）。登録者は、閲覧情報表示画面に表示された閲覧情報を見ながら、閲覧情報の内容の選択、修正を行うことができる。そして、登録者端末３００は、登録者によって選択されることで修正された閲覧情報を、コンテンツ登録利用サーバ１００の通信部１５０におけるＷｅｂサーバ１５１へ送信する（Ｓ３２）。Ｗｅｂサーバ１５１において受信された閲覧情報は、コンテンツ登録部１１０の閲覧情報抽出部１１３へ渡される。閲覧情報抽出部１１３は、渡された閲覧情報を閲覧情報ＤＢ１７０ｃに登録する（Ｓ３３）。
【００５２】
続いて、コンテンツ素材を利用する利用者が、このコンテンツ登録利用サーバ１００を利用する際の会員登録の流れについて説明する。図１２に会員登録の処理手順の説明図を示す。
登録されているコンテンツ素材を利用して編集処理を行う者、または、編集処理の結果、生成されたコンテンツを視聴する者は、ログイン情報を登録しておく必要がある。ここでは、利用者端末４００において、利用者が行う処理についての説明を行う。
まず、上記の利用者について、利用者端末４００からネットワーク２００を介してコンテンツ登録利用サーバ１００にアクセス要求を送信する。コンテンツ登録利用サーバ１００の通信部１５０におけるＷｅｂサーバ１５１は、利用者端末４００からのアクセス要求を受信すると、利用者端末４００に対して、利用者受付画面を送信する（Ｓ４０）。
続いて、利用者は、利用者端末４００からネットワーク２００を介してコンテンツ登録利用サーバ１００にアクセスして、新規登録の要求を送信する（Ｓ４２）。コンテンツ登録利用サーバ１００の通信部１５０におけるＷｅｂサーバ１５１は、利用者端末４００からの新規登録要求を受信すると、当該利用者端末４００に利用者登録画面を送信する（Ｓ４３）。利用者は、利用者登録画面に従い、ＩＤとパスワードおよび、利用者の氏名、年齢、住所等の利用者の情報を入力する。これらの利用者情報は、利用者登録画面によって決められた形式で入力される。コンテンツ登録利用サーバ１００の通信部１５０におけるＷｅｂサーバ１５１は、利用者により入力された利用者情報を受信し、その情報を管理部１３０における利用者情報管理部１３２に渡す。利用者情報管理部１３２は、入力されたＩＤとパスワードとを通信部１５０のＷｅｂサーバ１５１を介して利用者端末４００に送信することで正式に発行され（Ｓ４４）、同時に利用者情報管理部１３２より渡された利用者情報が利用者ＤＢ１７０ｅに登録される（Ｓ４５）。
【００５３】
次に、コンテンツ素材の利用者が、このコンテンツ登録利用サーバ１００にログインする際の処理手順について説明する。図１２にログインの処理手順の説明図を示す。
利用者は、利用者端末４００からネットワーク２００を介してコンテンツ登録利用サーバ１００にアクセス要求を送信する。コンテンツ登録利用サーバ１００の通信部１５０におけるＷｅｂサーバ１５１は、利用者端末４００からのアクセスの要求を受信すると、利用者端末４００に対して利用者受付画面を送信する（Ｓ４０）。利用者は、該利用者受付画面に従い、あらかじめ会員登録時に取得した利用者のＩＤとパスワード（ログイン情報）を入力する（Ｓ４１）。コンテンツ登録利用サーバ１００の通信部１５０におけるＷｅｂサーバ１５１は、入力されたログイン情報を受信し、その情報を管理部１３０の利用者情報管理部１３２へ渡す。利用者情報管理部１３２は、渡されたログイン情報をデータベース部１７０の利用者ＤＢ１７０ｅに登録されている利用者情報と照合し、該ログイン情報が登録されているか否かを確認する。照合した結果、正規登録者であったとき、Ｗｅｂサーバ１５１は、利用者端末４００にログイン許可の画面とともに、利用選択画面を送信する。利用者端末４００は、Ｗｅｂサーバ１５１より送信されたログイン許可画面とともに、図１３に示すような利用選択画面を表示する（Ｓ４６）。
また、該ログイン情報が登録されていない場合または、該ログイン情報の入力をミスした場合には、通信部１５０におけるＷｅｂサーバ１５１は、再入力の画面を登録者端末３００に送信し、登録者端末３００は、送信された再入力の画面を表示する（Ｓ４７）。登録者は、再入力の画面より所定の入力を行うこととなる。
【００５４】
続いて、利用者端末４００において、コンテンツ登録利用サーバ１００を用いた編集を行う場合の処理手順について説明する。まず、図１４に、編集を行う場合のコンテンツ素材の選択を行うための処理手順の説明図を示す。
利用者端末４００に表示されている利用選択画面において、「編集」が選択されると（Ｓ５０）、利用者端末４００からネットワーク２００を介して、通信部１５０におけるＷｅｂサーバ１５１に編集要求が送信される。Ｗｅｂサーバ１５１が編集要求を受信すると、その編集要求は、コンテンツ利用部１２０の閲覧情報表示部１２１に渡される。そして、編集要求が渡された閲覧情報表示部１２１は、まずは、編集に用いられるコンテンツ素材のコンテンツ素材情報および閲覧情報を、コンテンツ素材情報ＤＢ１７０ｂおよび閲覧情報ＤＢ１７０ｃからそれぞれ読み出す。読み出されたコンテンツ素材情報および閲覧情報は、Ｗｅｂサーバ１５１を介して利用者端末４００に対してコンテンツ素材リスト画面として送信される。そして、利用者端末４００には、コンテンツ素材情報のリストとして、図１５に示すようなカテゴリ毎のコンテンツ素材リスト画面が表示される（Ｓ５１）。
コンテンツ素材リスト画面は、例えば、カテゴリ毎の表示、地図情報に基づく表示、カレンダに基づく表示のいずれかを選択することができる。
カテゴリ毎の表示によるコンテンツ素材リスト画面表示とは、あらかじめ設定されているカテゴリ分類の項目ごとに、コンテンツ素材リスト画面を表示するとしたものである。
地図情報に基づくコンテンツ素材リスト画面表示とは、コンテンツ素材情報に含まれる撮影場所情報に基づいて、データベース部１７０の地理情報ＤＢ１７０ｉから読み出された地図上に、コンテンツ素材の存在を明らかにすることができるとしたものである。
カレンダに基づくコンテンツ素材リスト画面表示とは、コンテンツ素材情報に含まれる撮影日時情報に基づいて、その日時に相当するカレンダ上に、コンテンツ素材の存在を明らかにすることができるとしたものである。
また、あらかじめコンテンツ素材が選択されている場合には、その選択されたコンテンツ素材と組み合わされたコンテンツ素材の組合せ回数を順に表示するとしたコンテンツ組合せ情報に基づく表示を行うこともできる。
【００５５】
次に、コンテンツ素材を選択するためのコンテンツ素材選択処理について説明する。また、ここでは、コンテンツ素材リスト画面として、カテゴリ毎に表示されたものを例として説明する。
利用者端末４００に表示されているコンテンツ素材リスト画面には、全体見出し画像、登録番号、見出しワード、コンテンツ素材情報等が、コンテンツ素材毎に表示されている。これらの情報に基づいて、編集に使用したいコンテンツ素材を探し、選択することとなる。そして、編集に使用したいコンテンツ素材が見つかったとき、コンテンツ素材に対応した「選択」を押すことで、選択されたコンテンツ素材を編集に使用するための仮登録を行う処理が実行される（Ｓ５２）。
また、コンテンツ素材リスト画面に表示されているコンテンツ素材の情報だけでは不十分な場合は、該コンテンツ素材に対応する「閲覧情報」を押すことで、選択されたコンテンツ素材の閲覧情報が表示される（Ｓ５３）。閲覧情報には、カット割り情報に対応する静止画像が数枚表示され、また、見出しワード、コンテンツ素材情報が表示される。
また、選択作業を行わず、かつ編集処理を行わない場合は、「終了」が押されることで、すべて処理を終了させることができる（Ｓ５４）。
【００５６】
図１６に、選択されたコンテンツの仮登録の処理における処理手順を示す。
上述したように、コンテンツ素材選択処理においては、選択されたコンテンツ素材の仮登録の処理を行うことで、選択されたコンテンツ素材が順次、仮登録されることとなる（Ｓ６０）。仮登録されたコンテンツ素材の一覧を確認するには、コンテンツ素材リスト画面における「選択コンテンツ素材の確認」が押されることで、図１７に示すような選択コンテンツ素材リスト画面が表示され、選択されたコンテンツ素材の一覧を確認することができる（Ｓ６１）。このとき、選択コンテンツ素材確認画面において削除したいコンテンツ素材が存在する場合は、削除したコンテンツ素材を選択し、選択コンテンツ素材リスト画面における「削除」を選択することで実行することができる（Ｓ６２）。
さらに、継続してコンテンツ素材の選択の処理を行う場合は、「コンテンツ素材リストの画面に戻る」を選択すればよい。
また、コンテンツ素材の選択が終了したならば、編集の処理に進む。
【００５７】
続いて、コンテンツ素材を用いた編集の処理手順について説明する。図１８に、コンテンツ素材における編集の処理手順の説明図を示す。
コンテンツ素材リスト画面における「編集」が選択されると、選択コンテンツ素材リスト画面とともに、図１９に示すような編集素材ボックス画面が表示される（Ｓ６３）。編集素材ボックス画面には、コンテンツ素材の内容によって、例えば、映像ブース、音楽ブースなどがあらかじめ備えられており、時間軸すなわち再生順で並べることができるようになっている。
そして、選択コンテンツ素材リスト画面において編集に使用するコンテンツ素材を選択し、例えば、選択された全体見出し画像をドラッグ＆ドロップにより編集素材ボックス画面に対応する各ブースへ移動させる。その結果、編集素材ボックス画面上に、移動された全体見出し画像が表示される。この処理を繰り返すことで、編集素材ボックス画面上に、編集結果の再生順に全体見出し画像が並べられて表示される。ここで、編集素材ボックス画面に並べられた全体見出し画像は、必要に応じてドラッグ＆ドロップによって再生順を変更することもできる。
【００５８】
選択コンテンツ素材リスト画面において表示されていたコンテンツ素材が全て編集素材ボックス画面に移動され、再生順も決定された場合、「編集終了」が選択されることで編集の終了が指示され、編集情報が生成される（Ｓ６４）。編集情報が生成されると、編集コンテンツ生成部１２３に編集情報が渡され、この編集情報が仮登録される（Ｓ６５）。そして、編集コンテンツ生成部１２３は、この仮登録された編集情報に基づいて、データベース部１７０のコンテンツ素材ＤＢ１７０ａからコンテンツ素材を取得し、取得したコンテンツ素材を用いてコンテンツを生成する（Ｓ６６）。生成されたコンテンツは、通信部１５０の配信サーバ１５２へ渡され、ネットワークを介して利用者端末４００へ、例えばストリーミング配信される。編集処理を行った利用者は、利用者端末４００において生成されたコンテンツを視聴することができる（Ｓ６７）。
視聴した結果、再編集を行う必要がない場合は、「登録」が選択されることで、編集情報とともに生成されたコンテンツの登録処理が実行される。編集情報は、編集情報生成部１２２によって編集情報ＤＢ１７０ｆに渡され、登録される（Ｓ６８）。また、生成されたコンテンツは、編集コンテンツ生成部１２３からコンテンツＤＢ１７０ｇに渡され、登録される（Ｓ６９）。
また、再編集する必要がある場合は、「再編集」が選択されることで、再編集の処理を行うことができる。さらに、コンテンツ素材の再選択したい場合は、「コンテンツ素材再選択」が選択されることで、再び、コンテンツ素材の選択を実行することができる。
【００５９】
続いて、生成されたコンテンツの登録処理について説明する。図１８に、コンテンツ生成の処理手順の説明図を示す。
再編集を行う必要がない場合は、編集素材ボックス画面における「登録」が選択されると、コンテンツ登録利用サーバ１００における通信部１５０のＷｅｂサーバ１５１は、コンテンツ登録の要求を受信すると、Ｗｅｂサーバ１５１は、利用者端末４００に生成されたコンテンツ情報登録画面を送信する。すると、利用者端末４００には、生成されたコンテンツ情報登録画面が表示される（Ｓ７０）。そして、生成されたコンテンツ情報登録画面に、そのコンテンツの登録したいカテゴリ、全体見出し画像、コンテンツの内容および、希望料金等、各々のコンテンツ情報の入力を行う。
そして、利用者は、利用者端末４００からネットワーク２００を介してコンテンツ登録利用サーバ１００にアクセスして、コンテンツ情報登録画面より入力されたコンテンツ情報が送信される。コンテンツ登録利用サーバ１００の通信部１５０におけるＷｅｂサーバ１５１は、利用者に入力されたコンテンツ情報を受信する。続いて、Ｗｅｂサーバ１５１は、コンテンツ情報をコンテンツ情報表示部１２４に渡す。そして、コンテンツ情報表示部１２４は、渡されたコンテンツ情報をデータベース部１７０のコンテンツ情報ＤＢ１７０ｈに登録する（Ｓ７１）。コンテンツ情報を登録する際に、コンテンツ情報表示部１２４は、そのコンテンツに対応する登録番号を発行する（Ｓ７２）。以上により、コンテンツ生成の処理は終了する（Ｓ７３）。
【００６０】
次に、コンテンツ登録利用サーバ１００を用いて生成されたコンテンツを視聴者端末６００に配信する場合の処理について説明する。図２０に、生成されたコンテンツを配信するための処理手順の説明図を示す。ここで、視聴者端末６００より会員登録する場合は、利用者として登録されることとなる。
視聴者端末６００に表示されている利用選択画面において、「コンテンツ配信」が選択されると、視聴者端末６００からネットワーク２００を介して、通信部１５０におけるＷｅｂサーバ１５１にコンテンツ配信要求が送信される。Ｗｅｂサーバ１５１がコンテンツ配信要求を受信すると、そのコンテンツ配信要求がコンテンツ利用部１２０のコンテンツ表示部１２４に渡される。そして、コンテンツ配信要求が渡されたコンテンツ情報表示部１２４は、生成されたコンテンツのコンテンツ情報を、コンテンツＤＢ１７０ｇおよびコンテンツ情報ＤＢ１７０ｈからそれぞれ読み出す。読み出されたコンテンツ情報は、Ｗｅｂサーバ１５１を介して視聴者端末６００に対してコンテンツリスト画面に表示する情報として送信される。そして、視聴者端末６００には、コンテンツ情報のリストとしてコンテンツリスト画面が表示される（Ｓ８０）。
【００６１】
次に、視聴したいコンテンツを選択し配信するためのコンテンツ選択処理について説明する。
視聴者端末６００に表示されているコンテンツリスト画面には、コンテンツに対応する登録番号、見出しワード、コンテンツ情報等が、コンテンツ毎に表示されている。視聴者は、これらの情報に基づき、視聴したいコンテンツを探し、選択することとなる。そして、視聴したいコンテンツが見つかったとき、コンテンツに対応している「選択」を押すことで、選択されたコンテンツの配信をするかどうかの処理が行われる（Ｓ８１）。
この配信処理を終了する場合は、「終了」が押されることで、配信処理が終了する（Ｓ８２）。
【００６２】
続いて、コンテンツ配信方法についての処理手順を説明する。
視聴者端末６００に表示されているコンテンツリスト画面で「選択」が押されることで、「ストリーミング配信」か「ダウンロード配信」かの選択画面が表示される。
「ストリーミング配信」が選択された場合、視聴者端末６００は、ネットワーク２００を介してコンテンツ登録利用サーバ１００にアクセスして、選択したコンテンツのストリーミング配信の要求を送信する。コンテンツ登録利用サーバ１００の通信部１５０におけるＷｅｂサーバ１５１は、視聴者端末６００からの選択したコンテンツのストリーミング配信の要求を受信すると、その要求をデータベース部１７０に渡す。データベース部１７０は、視聴者がストリーミング配信を要求しているコンテンツをコンテンツＤＢ１７０ｇから読み出す。通信部１５０の配信サーバ１５２は、読み出されたコンテンツについてネットワーク２００を介して視聴者端末６００にストリーミング配信を行う（Ｓ８３）。そして、視聴者端末６００では、コンテンツのストリーミング再生が行われる。
「ダウンロード配信」が選択された場合、視聴者端末６００は、ネットワーク２００を介してコンテンツ登録利用サーバ１００にアクセスして、選択したコンテンツのダウンロード配信の要求を送信する。コンテンツ登録利用サーバ１００の通信部１５０におけるＷｅｂサーバ１５１は、視聴者端末６００からの選択したコンテンツのダウンロード配信の要求を受信すると、その要求をデータベース部１７０に渡す。データベース部１７０は、視聴者がダウンロード配信を要求しているコンテンツをコンテンツＤＢ１７０ｇから読み出す。通信部１５０の配信サーバ１５２は、読み出されたコンテンツについてネットワーク２００を介して視聴者端末６００にダウンロード配信を行う（Ｓ８４）。そして、視聴者端末６００では、コンテンツのダウンロード再生が行われる。
続いて、コンテンツの選択を行う場合は、「コンテンツのリスト画面に戻る」が選択される（Ｓ８５）。コンテンツの視聴を終了する場合は、「終了」が押され、コンテンツ配信利用の処理が終了される（Ｓ８６）。
【００６３】
次に、コンテンツ登録利用サーバ１００を利用することによる課金処理について説明する。
まず、編集処理に基づく課金処理は、編集処理を実行したときに使用されたコンテンツ素材毎に定められた料金に基づいて行われる。課金部１４０の利用者課金部１４１は、データベース部１７０の編集情報ＤＢ１７０ｆに登録された編集情報に基づいて生成されたコンテンツに対応する編集情報から使用したコンテンツ素材を読み出す。続いて、読み出されたコンテンツ素材に定められた各々の料金をコンテンツ素材情報ＤＢ１７０ｂから読み出すことで、コンテンツ登録利用サーバ１００を編集に利用することで発生した料金を算出することができる。
また、生成されたコンテンツの配信に基づく課金処理は、課金部１４０の視聴者課金部１４２において、生成されたコンテンツの料金に基づきストリーミングおよびダウンロード配信毎に算出される。
【００６４】
本発明にかかるコンテンツ登録利用システムは、コンテンツ素材に対応する閲覧情報の接続先を含む情報として２次元コードを生成する２次元コード生成部を備えている。そして、コンテンツ素材リスト画面が登録者端末３００における印刷部３０１および利用者端末４００における印刷部４０１において印刷されることで、コンテンツカタログ５０１を作成することができる。コンテンツカタログ５０１は、２次元コード生成部で生成された２次元コードを全体見出し画像に添えて印刷したものである。図２１にコンテンツカタログの一例を示す。
コンテンツカタログに記載されている中から必要とするコンテンツ素材を捜し出すことができ、そのコンテンツカタログに記載されている各コンテンツ素材に対応する２次元コードを、例えば、携帯端末５００等で読み取ることで、その読み取ったコンテンツ素材の閲覧情報を参照することができる。
【００６５】
ここで、コンテンツカタログに載せられる情報は、コンテンツ素材に関連する情報に限られるものではない。コンテンツカタログに掲載されている、例えば、テキストおよび画像に関連する情報をあらかじめデータベースに登録しておき、そのテキストおよび画像に対応する情報の接続先を含む情報として２次元コードを付加することで、コンテンツカタログに掲載しきれない情報を補完することができる。
【００６６】
本発明におけるコンテンツ登録利用システムは、規格が統一されていない大量のコンテンツ素材を有効に活用できるようにすることを目的としているが、新たにコンテンツ素材を作製し、そのコンテンツ素材の登録を実行するための手段として、さらにコンテンツ登録利用システムに対して取材依頼情報を登録する機能を付加することで、効果的なコンテンツ登録利用システムを構築することができる。
取材依頼情報を登録する機能とは、例えば、あらかじめ依頼者から依頼された取材依頼情報をコンテンツ登録利用システムに登録しておき、取材者に対して、それら登録された取材依頼情報が電子メール等により送信されることで、取材者側に提供されるとしたものである。
【００６７】
以下に、取材の依頼を行う場合の処理についての説明を行う。
取材もしくは撮影して欲しい情報などを保持している依頼者は、依頼者端末７００より取材依頼情報をブラウザ等により所定の項目について入力し、コンテンツ登録利用サーバ１００の通信部１５０におけるＷｅｂサーバ１５１に送信する。通信部１５０のＷｅｂサーバ１５１において受信された取材依頼情報は、取材依頼情報受付部１６１に渡され、続いて、取材依頼情報ＤＢ１７０ｋに記録される。このとき、取材依頼情報受付部１６１は、取材クレジットコードを取材依頼情報毎に生成し記録する。
取材依頼情報ＤＢ１７０ｋに取材依頼情報が記録されると、取材者端末８００等に対して該取材依頼情報の新着情報として電子メールサーバ１５３より電子メールが送信される。
そして、送信された電子メールの内容に基づいて取材者端末８００等から取材依頼情報ＤＢ１７０ｋにアクセスすることで、取材依頼情報が取材者端末８００等のブラウザ等に表示される。取材者端末８００等において表示されている各々の取材依頼情報には、”受任中”、”取材済”等が表示できるようなステイタスを表示する項目が設けられており、該取材依頼における進捗情報を確認することもできる。ここで、”受任中”は、例えば、取材者端末８００等において取材依頼情報が閲覧された時点で付与され、”取材済”は、該取材依頼情報に対応するコンテンツ素材が、コンテンツ素材登録部１１１において登録された時点で付与される。また、”取材済”が付与されると、依頼者端末７００に対して通信部１５０における電子メールサーバ１５３より取材が終了したことを知らせる電子メールが送信される。
また、上述したような取材依頼情報を登録する機能以外にも、例えば、依頼者から依頼された取材依頼情報が、コンテンツ登録利用システム１００の取材依頼情報ＤＢ１７０ｋに登録され、取材者端末８００から取材依頼情報ＤＢ１７０ｋに適宜アクセスすることにより登録された取材依頼情報の内容が常時閲覧されることで、取材依頼情報が取材者側に提供されるようにされてもよい。
【００６８】
さらに、上述された取材依頼情報ＤＢ１７０ｋは、例えば、以下のように利用される。
取材依頼情報ＤＢ１７０ｋにおける取材依頼情報は、取材クレジット情報生成部１６２において、取材クレジット情報として、図２２に示すような取材クレジット画面を生成するために利用される。取材クレジット情報は、取材クレジット情報生成部１６２において生成され、取材者名（撮影者名）、ＧＰＳ位置情報（撮影場所）、取材日時（撮影日時）、テーマ・タイトル等が含まれている。生成された取材クレジット情報は、携帯端末５００もしくは取材者端末８００等に取得されることで、ブラウザ等に表示される。
ここで、取材場所や取材日時等の情報を詳細にするためにＧＰＳ位置情報、取材日時および取材者名等は、取材直前時における携帯端末５００が保持しているデータがあらかじめダウンロードされたアプリケーション等を用いて利用されるようにされてもよい。また、コンテンツ素材を作製するためのビデオ撮影時における録画前もしくは取材テープ等の入れ替え時において、この携帯端末５００において生成され表示された取材クレジット情報を撮影することで、該コンテンツ素材にクレジットを容易に挿入することが可能となる。
また、携帯端末５００において生成された取材クレジット情報をコンテンツ素材登録時には、同時にコンテンツ登録利用サーバ１００に送信することで、コンテンツ素材情報を改めて入力することなく、容易にコンテンツ素材情報を作製することが可能となる。ここで、携帯端末５００において生成された取材クレジット情報をコンテンツ素材とともに送信するために登録者端末３００に転送するようにされてもよいし、あらかじめ取材クレジット情報のみをコンテンツ登録利用サーバ１００に送信しておきコンテンツ素材情報として登録するようにされてもよい。このとき、取材場所、取材日時および取材者名等は、それぞれ撮影場所、撮影日時および撮影者名として登録されることとなる。
【００６９】
加えて、携帯端末によって獲得されたコンテンツ素材を、登録者端末３００からではなく携帯端末５００等から直接コンテンツ登録利用サーバ１００に対して登録するようにしてもよい。このとき、取材日時や位置情報を携帯端末５００等において保持している情報を取得するための専用のアプリケーションを携帯端末５００等にダウンロードし、該アプリケーションにより作成された取材日時および位置情報のデータをコンテンツ素材情報としてコンテンツ素材登録時に登録されるようにしてもよい。
【００７０】
また、上述した実施例では、編集処理は、利用者端末４００で行うこととしているが、それに限られるものではなく、携帯端末５００で行われるように編集用のアプリケーションがダウンロードされるようにしてもよい。これにより、携帯端末５００上で、利用者端末４００で行ったような処理が可能となる。
【図面の簡単な説明】
【００７１】
【図１】この発明の一実施形態にかかるコンテンツ登録利用システムのシステム構成図である。
【図２】この発明にかかる閲覧情報抽出部の構成図である。
【図３】コンテンツ素材情報のデータベース構造を示す図である。
【図４】閲覧情報のデータベース構造を示す図である。
【図５】コンテンツ素材の登録者が、ログインおよび会員登録するための処理の処理手順を示す説明図である。
【図６】登録者受付画面の一実施例を示す図である。
【図７】コンテンツ素材登録受付画面の一実施例を示す図である。
【図８】コンテンツ素材を登録するための処理の処理手順を示す説明図である。
【図９】コンテンツ素材登録画面の一実施例を示す図である。
【図１０】閲覧情報画面の一実施例を示す図である。
【図１１】登録された閲覧情報を修正するための処理の処理手順を示す説明図である。
【図１２】コンテンツ素材の利用者が、ログインおよび会員登録するための処理の処理手順を示す説明図である。
【図１３】利用選択画面の一実施例を示す図である。
【図１４】コンテンツ素材の利用者が、コンテンツ素材を選択するための処理の処理手順を示す説明図である。
【図１５】コンテンツ素材リスト画面の一実施例を示す図である。
【図１６】コンテンツ素材の利用者が選択したコンテンツを仮登録するための処理の処理手順を示す説明図である。
【図１７】選択コンテンツ確認画面の一実施例を示す図である。
【図１８】コンテンツ素材の利用者による編集処理およびコンテンツを生成するための処理の処理手順を示す説明図である。
【図１９】編集素材ボックス画面の一実施例を示す図である。
【図２０】生成されたコンテンツを配信するための処理の処理手順を示す説明図である。
【図２１】コンテンツ素材カタログの一実施例を示す図である。
【図２２】取材クレジット画面の一実施例を示す図である。
【図２３】従来技術による遠隔編集システムの一構成例を示した図である。
【符号の説明】
【００７２】
１００  コンテンツ登録利用システム
１１０  コンテンツ登録装置
１１１  コンテンツ素材登録部
１１２  コンテンツ素材情報入力部
１１３  閲覧情報抽出部
１１３ａ  カット割り情報検出部
１１３ｂ  カット割り画像抽出部
１１３ｃ  音声情報認識部
１１３ｄ  見出しワード抽出部
１１４  閲覧情報登録部
１２０  コンテンツ利用装置
１２１  閲覧情報表示部
１２２  編集情報生成部
１２３  編集コンテンツ生成部
１２４  コンテンツ情報表示部
１３０  管理部
１３１  登録者情報管理部
１３２  利用者情報管理部
１４０  課金部
１４１  利用者課金部
１４２  視聴者課金部
１５０  通信部
１５１  Ｗｅｂサーバ
１５２  配信サーバ
１５３  電子メールサーバ
１６０  取材依頼管理部
１６１  取材依頼情報受付部
１６２  取材クレジット情報生成部
１７０  データベース部
１７０ａ  コンテンツ素材ＤＢ
１７０ｂ  コンテンツ素材情報ＤＢ
１７０ｃ  閲覧情報ＤＢ
１７０ｄ  登録者ＤＢ
１７０ｅ  利用者ＤＢ
１７０ｆ  編集情報ＤＢ
１７０ｇ  コンテンツＤＢ
１７０ｈ  コンテンツ情報ＤＢ
１７０ｉ  地理情報ＤＢ
１７０ｊ  関連画像ＤＢ
１７０ｋ  取材依頼情報ＤＢ
２００  ネットワーク
３００  登録者端末
３０１  印刷部
４００  利用者端末
４０１  印刷部
５００  携帯端末
５０１  コンテンツカタログ
６００  視聴者端末
７００  依頼者端末
８００  取材者端末
【図１】
2006092310.tif 000003
【図２】
2006092310.tif 000004
【図３】
2006092310.tif 000005
【図４】
2006092310.tif 000006
【図５】
2006092310.tif 000007
【図６】
2006092310.tif 000008
【図７】
2006092310.tif 000009
【図８】
2006092310.tif 000010
【図９】
2006092310.tif 000011
【図１０】
2006092310.tif 000012
【図１１】
2006092310.tif 000013
【図１２】
2006092310.tif 000014
【図１３】
2006092310.tif 000015
【図１４】
2006092310.tif 000016
【図１５】
2006092310.tif 000017
【図１６】
2006092310.tif 000018
【図１７】
2006092310.tif 000019
【図１８】
2006092310.tif 000020
【図１９】
2006092310.tif 000021
【図２０】
2006092310.tif 000022
【図２１】
2006092310.tif 000023
【図２２】
2006092310.tif 000024
【図２３】
2006092310.tif 000025